(57)【要約】      （修正有）【課題】眼鏡レンズに直接貼り付けても気泡やしわの発生や、貼り付け後に浮きが生じることのない眼鏡用サングラスフィルムを提供する。【解決手段】眼鏡用サングラスとする透明有色プラスチックで構成された眼鏡形状のフィルム本体の上端２か所に、粘着剤を裏面に塗布した摘み片３を備えて眼鏡用サングラスフィルム１を構成する。眼鏡４に装着する際には摘み片を折り曲げ、眼鏡４のフレーム上面６に引っ掛けるように貼り付ける。装着方法も簡便であり、フィルムも剥がれ落ちにくくなる。【選択図】図２
0003166027.tif 000002
【実用新案登録請求の範囲】
【請求項１】
透明有色プラスチックで構成された眼鏡形状のフィルム本体２の上端２か所に、粘着剤５を裏面に塗布した摘み片３を備え、それらを折り曲げ、粘着剤５で眼鏡４のフレームの上面６に貼り付けるようにして眼鏡４に装着できることを特徴とする眼鏡用サングラスフィルム。
【請求項２】
前記摘み片３が１辺８ｍｍから１５ｍｍの略四角形状であることを特徴とする、請求項１に記載の眼鏡用サングラスフィルム。
【考案の詳細な説明】
【技術分野】
【０００１】  本考案は、眼鏡に装着することにより、サングラスとして使用するための眼鏡用サングラスフィルムに関する。
【背景技術】
【０００２】  常時、眼鏡を着用している人がサングラスを使用する時には、度付きサングラスを購入し、都度眼鏡を掛け替える必要があり、煩雑であった。眼鏡に透明硬質有色プラスチックフィルムを金属フックで固定する補助具が市販されているが、比較的高価格であり、眼鏡が重くなる等の問題がある。
補助具の代替として、粘着剤を塗布した透明有色プラスチックフィルムを眼鏡レンズの全面に貼り付ける方法、（特許文献１，２，３参照）が提示されている。又、眼鏡形状の上部及び下部に粘着剤を塗布した透明有色プラスチックフィルム（特許文献４参照）や、透明有色プラスチックフィルムの左右に粘着剤を塗布した摘み片を備えて、眼鏡の智に貼り付けて固定する方法も提示されている（特許文献５参照）。
【先行技術文献】
【特許文献】
【０００３】
【特許文献１】特開２００１−３４３６１７
【特許文献２】実開平５−９４８２１
【特許文献３】特開２００４−１２６３６９
【特許文献４】実用新案登録第３０５３７６７号
【特許文献５】実用新案登録第３１２７４７３号
【考案の概要】
【考案が解決しようとする課題】
【０００４】  眼鏡レンズ全面に直接フィルムを貼り付ける場合は、眼鏡レンズが曲面であるため、透明有色プラスチックフィルムを貼り付けた際に気泡、しわが発生したり、貼り付け後に透明有色プラスチックフィルムの浮きが発生する問題があった。また特許文献３に提示している、眼鏡レンズの凸面に合う形状を備えた透明有色プラスチックフィルムを貼り付ける方法では、眼鏡レンズの凸面に合わせるための工程が必要となり、経済性に劣る。【０００５】  眼鏡形状の上部及び下部に粘着剤を塗布した透明有色プラスチックフィルムや、眼鏡形状の透明有色プラスチックフィルムの左右に粘着剤を塗布した摘み片を備えた場合、眼鏡の大きさを考慮していないため汎用性に乏しい。又、眼鏡と貼り合わせた面積が非常に小さいため、大きな接着力が得られ難く、透明有色プラスチックフィルムが眼鏡本体の曲面に沿った形で貼り付けられるため、フィルムの反発に粘着剤が耐えられずに、透明有色プラスチックフィルムが剥がれやすくなる問題がある。【０００６】  本考案は、眼鏡本体の曲面構造の影響を受けずに、眼鏡形状の透明有色プラスチックフィルムを眼鏡本体に装着しようとすることを目的とする。
【課題を解決するための手段】
【０００７】  透明有色プラスチックで構成された眼鏡形状のフィルム本体２の上端２か所に、粘着剤５を裏面に塗布した摘み片３を設け、それらを折り曲げ、粘着剤５で眼鏡４のフレームの上面６に貼り付けるようにしたことを特徴とする眼鏡用サングラスフィルム。【０００８】  摘み片３が１辺８ｍｍから１５ｍｍの略四角形状であることを特徴とする、眼鏡用サングラスフィルム
【考案の効果】
【０００９】  眼鏡レンズに直接貼り付けることがないため、気泡、しわ、浮き等の問題はない。貼り付け位置をフレーム上面６における、眼鏡形状の凸部に合わせることにより、透明有色プラスチックフィルム本体の反発をほぼ無くすことができる。さらにフレーム上面６に貼り付ける接着面積が小さいにもかかわらず、摘み片３を引っ掛けるように貼り付けるため、剥がれ落ちにくい。
【図面の簡単な説明】
【００１０】
【図１】  本考案にかかる眼鏡用サングラスフィルムの正面図である。
【図２】  本考案の眼鏡用サングラスフィルムを眼鏡に装着する方法の模式図である。
【図３】  本考案の眼鏡用サングラスフィルムを眼鏡に装着する方法を側面から見た断面図である。
【考案を実施するための形態】
【００１１】  以下、本考案の実施例を詳細に説明する。
図１は本考案にかかる眼鏡用サングラスフィルムの正面図を示す。
本考案の眼鏡用サングラスフィルム１は、フィルム本体２と本体上端２か所に備えられた摘み片３からなる。フィルム本体２は、ポリエチレンテレフタレート、ポリカーボネート、ポリスチレン、ポリプロピレン、ポリ塩化ビニル、アクリル樹脂などの内、着色した透明フィルムで構成している。また無色透明なフィルム２枚を着色した粘着剤で貼り合わせたものや、金属蒸着を施して光線透過率を調整したフィルムを使用しても良い。フィルム本体２が薄すぎると作業性が悪くなり、フィルム本体２が厚すぎると剥がれ落ちる可能性がある。フィルム本体２のフィルム厚の好ましい範囲は２５ミクロンから２００ミクロンであり、最も好ましい範囲は５０ミクロンから１５０ミクロンである。フィルム本体２に紫外線カット機能や偏光機能等を付与することで、より付加価値のある眼鏡用サングラスフィルムが作成できる。
【００１２】  眼鏡用サングラスフィルム１の大きさ、形状は特定しない。但し、２か所の摘み片３が左右対称に６ｃｍから８ｃｍの間隔で上面に備えられている。この摘み片３の大きさについては眼鏡４の曲面構造、装着感及び接着面積等を考慮すると１辺が８ｍｍから１５ｍｍの略四角形が望ましい。この摘み片３の裏面には粘着剤５が塗布されている。
【００１３】  粘着剤５は、アクリル系粘着剤、ゴム系粘着剤、シリコン系粘着剤、ポリウレタン系粘着剤等を用いているが、粘着剤は限定しない。但し、粘着力はある程度必要であるため、強粘着タイプの粘着剤を使用するのが良い。粘着剤５の塗布方法としては、直接粘着剤を塗布する方法、或いは両面テープを貼り付ける方法等があるが、塗布方法は限定しない。
【００１４】  図２は本考案の眼鏡用サングラスフィルム１を眼鏡４に装着する方法の模式図である。
２か所の摘み片３の裏面に塗布された粘着剤５が、眼鏡４のフレーム上面６に貼りあわされるように折り曲げ、眼鏡４のフレーム上面６に引っ掛けるように貼り付ける。このような装着方法により、接着面積が小さいにもかかわらず、剥がれ落ちにくくできる。
図３は本考案の眼鏡用サングラスフィルム１を眼鏡４に装着する方法を側面から見た断面図である。
眼鏡用サングラスフィルム１を眼鏡４のフレーム上面６に引っ掛けるように貼り付けることにより、眼鏡４や眼鏡レンズの曲面構造の影響を受けることなく、眼鏡用サングラスフィルム１が装着できる。
【符号の説明】
【００１５】１  眼鏡用サングラスフィルム
２  フィルム本体
３  摘み片
４  眼鏡
５  粘着剤
６  フレーム上面
【図１】
0003166027.tif 000003
【図２】
0003166027.tif 000004
【図３】
0003166027.tif 000005